【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
組織にレーザーエネルギーを送達するシステムであって、該システムは、
プローブと、
光伝送流体の流れを噴出するノズルと、
干渉性光を伝送するための導波管と
を備えており、
該導波管および該ノズルは、該導波管からの干渉性光が、全反射によって該光伝送流体の流れの中に集束させられ、該光伝送流体の流れを通して伝送されるように、構成されている、システム。
【請求項２】
前記光伝送流体を前記ノズルまで１ｐｓｉから１０００ｐｓｉまでの圧力において送達するためのポンプをさらに備えている、請求項１に記載のシステム。
【請求項３】
前記ノズルは、０．０１ｍｍから１ｍｍまでの範囲にある直径を有している、請求項２に記載のシステム。
【請求項４】
干渉光を前記導波管まで１０ｍＷから４０Ｗまでの範囲にある出力レベルで送達するためのレーザー供給源をさらに備えている、請求項１に記載のシステム。
【請求項５】
前記プローブは、管腔の表面または管腔を通して前進させられるように適合されている、請求項１に記載のシステム。
【請求項６】
前記プローブは、前記光伝送流体を前記ノズルまで送達するための少なくとも１つの中央軸方向通路を有している、請求項２に記載のシステム。
【請求項７】
前記プローブは、軸方向管腔を有する外側チューブと、該軸方向管腔内に往復運動可能に据え付けられた内側流体送達チューブとを備えており、前記中央軸方向通路は、該内側流体送達チューブ内に配置され、前記導波管は、該中央軸方向通路内に配置されている、請求項６に記載のシステム。
【請求項８】
前記ノズルは、前記外側チューブ内の窓を通して横方向に前記光伝送流体の流れを噴出するように配置されている、請求項７に記載のシステム。
【請求項９】
前記ノズルは、前記光伝送流体の流れを１ｐｓｉから１０００ｐｓｉまでの範囲の圧力および０．０１ｍｍから１ｍｍまでの流れの直径で噴出し、前記干渉光は、１０ｍＷから４０Ｗまでの範囲にある出力レベルで送達される、請求項５に記載のシステム。
【請求項１０】
前記プローブは、手で持たれ、軟組織を切断するためのエネルギーを送達するように適合されている、請求項１に記載のシステム。
【請求項１１】
前記プローブは、軸を有するシャフトを備えている、請求項１０に記載のシステム。
【請求項１２】
前記ノズルは、前記シャフトに対して軸方向に前記流れを送達するように配向されている、請求項１１に記載のシステム。
【請求項１３】
前記ノズルは、前記シャフトに対して横方向に前記流れを送達するように配向されている、請求項１１に記載のシステム。
【請求項１４】
前記ノズルは、前記光伝送流体の流れを１ｐｓｉから１０００ｐｓｉまでの範囲の圧力、および０．０１ｍｍから１ｍｍまでの流れの直径で噴出し、前記干渉光は、１０ｍＷから４０Ｗまでの範囲にある出力レベルで送達される、請求項１０に記載のシステム。
【請求項１５】
前記プローブは、手で持たれ、歯を穿孔するか、または骨および軟骨を切り通すためのエネルギーを送達するように適合されている、請求項１に記載のシステム。
【請求項１６】
前記プローブは、軸を有するシャフトを備えている、請求項１５に記載のシステム。
【請求項１７】
前記ノズルは、前記シャフトに対して横方向に前記流れを送達するように配向されている、請求項１６に記載のシステム。
【請求項１８】
前記ノズルは、前記光伝送流体の流れを１ｐｓｉから１０００ｐｓｉまでの範囲の圧力、および０．０１ｍｍから１ｍｍまでの流れの直径で噴出し、前記干渉光は、１０ｍＷから４０Ｗまでの範囲にある出力レベルで送達される、請求項１５に記載のシステム。
【請求項１９】
前記プローブの上に同軸に配置されたアンカーフレームをさらに備えており、該アンカーフレームは、該プローブが身体管腔の中に導入されるときに組織表面を係合するように適合されている遠位端を有している、請求項１に記載のシステム。
【手続補正２】
【補正対象書類名】明細書
【補正対象項目名】００２１
【補正方法】変更
【補正の内容】
【００２１】
特定の実施形態において、内側流体送達チューブの遠位端は、外側チューブ内の窓に隣接して配置される。内側チューブは、その後、外側チューブに対して往復運動させられるか、および／または回転させられ得ることにより、流体流れと内側流体送達チューブとは、窓を通して、外側チューブに隣接するか、または外側チューブを囲む組織に送達し得る。
例えば、本発明は以下の項目を提供する。
（項目１）
組織を修正する方法であって、該方法は、
光伝送液体媒体の流れを生成することと、
該光が全反射によって該流れを介して伝送されるように、干渉性光の供給源を該光伝送液体媒体に連結することと、
該流れを組織に向けることと
を含む、方法。
（項目２）
上記液体流れは、上記液体媒体を圧力下において０．０１ｍｍから１ｍｍまでの範囲にある直径を有するノズルを通過させることによって生成される、項目１に記載の方法。
（項目３）
上記圧力は、１ｐｓｉから１０００ｐｓｉまでの範囲にある、項目２に記載の方法。
（項目４）
上記干渉性光は、１０ｍＷから４０Ｗの範囲にある出力レベルを有している、項目３に記載の方法。
（項目５）
上記組織は、発光組織であり、上記流れは、管腔から放射方向外側に向けられる、項目１に記載の方法。
（項目６）
上記管腔内にプローブを設置することと、上記光伝送液体媒体の加圧された流れを該プローブから放射方向外側に向けることと、該流れが該組織に向けられたときに該干渉性光を該液体媒体内に集束させることとをさらに含む、項目５に記載の方法。
（項目７）
上記ノズルは、０．０１ｍｍから１ｍｍの範囲にある直径を有し、上記圧力は、１ｐｓｉから１０００ｐｓｉまでの範囲にあり、上記干渉性光は、１０ｍＷから４０Ｗまでの出力を有している、項目６に記載の方法。
（項目８）
上記組織は、軟組織であり、上記流れは、該組織を切断するために１つの直線に向けられる、項目１に記載の方法。
（項目９）
上記ノズルは、０．０１ｍｍから１ｍｍの範囲にある直径を有し、上記圧力は、１ｐｓｉから１０００ｐｓｉまでの範囲にあり、上記干渉性光は、１０ｍＷから４０Ｗまでの出力を有している、項目８に記載の方法。
（項目１０）
上記組織は、歯または骨を含み、上記流れは、歯を穿孔するか、または骨および軟骨を切り通すように向けられる、項目１に記載の方法。
（項目１１）
上記ノズルは、０．０１ｍｍから１ｍｍの範囲の領域を有し、上記圧力は、１ｐｓｉから１０００ｐｓｉまでの範囲にあり、上記干渉性光は、１０ｍＷから４０Ｗの出力を有している、項目１０に記載の方法。
（項目１２）
組織にレーザーエネルギーを送達するシステムであって、該システムは、
プローブと、
光伝送流体の流れを噴出するノズルと、
干渉性光を伝送するための導波管と
を備えており、
該導波管および該ノズルは、該導波管からの干渉性光が、全反射によって該光伝送流体の流れの中に集束させられ、該光伝送流体の流れを通して伝送されるように、構成されている、システム。
（項目１３）
上記光伝送流体を上記ノズルまで１ｐｓｉから１０００ｐｓｉまでの圧力において送達するためのポンプをさらに備えている、項目１２に記載のシステム。
（項目１４）
上記ノズルは、０．０１ｍｍから１ｍｍまでの範囲にある直径を有している、項目１３に記載のシステム。
（項目１５）
干渉光を上記導波管まで１０ｍＷから４０Ｗまでの範囲にある出力レベルで送達するためのレーザー供給源をさらに備えている、項目１２に記載のシステム。
（項目１６）
上記プローブは、管腔の表面または管腔を通して前進させられるように適合されている、項目１２に記載のシステム。
（項目１７）
上記プローブは、上記光伝送流体を上記ノズルまで送達するための少なくとも１つの中央軸方向通路を有している、項目１３に記載のシステム。
（項目１８）
上記プローブは、軸方向管腔を有する外側チューブと、該軸方向管腔内に往復運動可能に据え付けられた内側流体送達チューブとを備えており、上記中央軸方向通路は、該内側流体送達チューブ内に配置され、上記導波管は、該中央軸方向通路内に配置されている、項目１４に記載のシステム。
（項目１９）
上記ノズルは、上記外側チューブ内の窓を通して横方向に上記光伝送流体の流れを噴出するように配置されている、項目１５に記載のシステム。
（項目２０）
上記ノズルは、上記光伝送流体の流れを１ｐｓｉから１０００ｐｓｉまでの範囲の圧力および０．０１ｍｍから１ｍｍまでの流れの直径で噴出し、上記干渉光は、１０ｍＷから４０Ｗまでの範囲にある出力レベルで送達される、項目１６に記載のシステム。
（項目２１）
上記プローブは、手で持たれ、軟組織を切断するためのエネルギーを送達するように適合されている、項目１２に記載のシステム
（項目２２）
上記プローブは、軸を有するシャフトを備えている、項目２１に記載のシステム。
（項目２３）
上記ノズルは、上記シャフトに対して軸方向に上記流れを送達するように配向されている、項目２２に記載のシステム。
（項目２４）
上記ノズルは、上記シャフトに対して横方向に上記流れを送達するように配向されている、項目２２に記載のシステム。
（項目２５）
上記ノズルは、上記光伝送流体の流れを１ｐｓｉから１０００ｐｓｉまでの範囲の圧力、および０．０１ｍｍから１ｍｍまでの流れの直径で噴出し、上記干渉光は、１０ｍＷから４０Ｗまでの範囲にある出力レベルで送達される、項目２１に記載のシステム。
（項目２６）
上記プローブは、手で持たれ、歯を穿孔するか、または骨および軟骨を切り通すためのエネルギーを送達するように適合されている、項目１２に記載のシステム。
（項目２７）
上記プローブは、軸を有するシャフトを備えている、項目２６に記載のシステム。
（項目２８）
上記ノズルは、上記シャフトに対して横方向に上記流れを送達するように配向されている、項目２７に記載のシステム。
（項目２９）
上記ノズルは、上記光伝送流体の流れを１ｐｓｉから１０００ｐｓｉまでの範囲の圧力、および０．０１ｍｍから１ｍｍまでの流れの直径で噴出し、上記干渉光は、１０ｍＷから４０Ｗまでの範囲にある出力レベルで送達される、項目２６に記載のシステム。
（項目３０）
上記プローブの上に同軸に配置されたアンカーフレームをさらに備えており、該アンカーフレームは、該プローブが身体管腔の中に導入されるときに組織表面を係合するように適合されている遠位端を有している、項目１２に記載のシステム。